(57)【要約】【課題】テラヘルツ波放射体を保持する保持部材を患部に直接接触させることなく、快適に使用することができるテラヘルツ波治療器具を提供する。【解決手段】テラヘルツ波治療器具１Ａは、皮膚１０にテラヘルツ波を放射するテラヘルツ波放射体２と、皮膚１０に非接触な状態で配置されるとともに、テラヘルツ波放射体２を保持する保持部材３とを備える。保持部材３は、テラヘルツ波放射体２よりも大きな外形を有するともに、皮膚１０を覆う衣類１１に貼付可能なシール部材３０で構成されている。【選択図】      図１
0003222151.tif 000002
【実用新案登録請求の範囲】
【請求項１】
皮膚にテラヘルツ波を放射するテラヘルツ波放射体と、
前記皮膚に非接触な状態で配置されるとともに、前記テラヘルツ波放射体を保持する保持部材とを備える、
ことを特徴とするテラヘルツ波治療器具。
【請求項２】
前記保持部材は、
前記テラヘルツ波放射体よりも大きな外形を有するともに、前記皮膚を覆う衣類に貼付可能なシール部材で構成されている、
ことを特徴とする請求項１に記載のテラヘルツ波治療器具。
【請求項３】
前記保持部材は、
一方の端部に、前記皮膚に刺入される鍼を挟持する挟持部を有するとともに、他方の端部に、前記テラヘルツ波放射体を保持する保持部を有するクリップ部材で構成されており、
前記挟持部と、前記保持部と、前記挟持部及び前記保持部の間を接続する接続部とは、導電性材料で形成されている、
ことを特徴とする請求項１に記載のテラヘルツ波治療器具。
【考案の詳細な説明】
【技術分野】
【０００１】
本考案は、テラヘルツ波治療器具に関する。
【背景技術】
【０００２】
近年、テラヘルツ波を放射するテラヘルツ波放射体を使用した各種の治療器具が提案されている。
【０００３】
例えば、特許文献１には、粘着層を有するシートにより形成された押圧部と、テラヘルツ波を放射する突起部とを備える治療器具であって、当該治療器具は、使用に際して、突起部を患部に押し当てた状態で押圧部（シート）を患部に貼り付けるように構成されていることが開示されている。
【先行技術文献】
【特許文献】
【０００４】
【特許文献１】特許第５３９８０９４号公報
【考案の開示】
【考案が解決しようとする課題】
【０００５】
しかし、特許文献１に開示された治療器具では、押圧部（シート）が、突起部を保持する保持部材として機能するが、押圧部（シート）は、患部に直接貼り付けられるため、長時間使用する場合には、皮膚のかぶれや痒みの原因となることがあった。
【０００６】
本考案は、このような事情に鑑みてなされたものであって、テラヘルツ波放射体を保持する保持部材を患部に直接接触させることなく、快適に使用することができるテラヘルツ波治療器具を提供することを目的とする。
【課題を解決するための手段】
【０００７】
上記のような課題を解決するために、本考案に係るテラヘルツ波治療器具は、
皮膚にテラヘルツ波を放射するテラヘルツ波放射体と、
前記皮膚に非接触な状態で配置されるとともに、前記テラヘルツ波放射体を保持する保持部材とを備える、ことを特徴とする。
【０００８】
また、上記テラヘルツ波治療器具において、
前記保持部材は、
前記テラヘルツ波放射体よりも大きな外形を有するともに、前記皮膚を覆う衣類に貼付可能なシール部材で構成されている、ことを特徴とする。
【０００９】
また、上記テラヘルツ波治療器具において、
前記保持部材は、
一方の端部に、前記皮膚に刺入される鍼を挟持する挟持部を有するとともに、他方の端部に、前記テラヘルツ波放射体を保持する保持部を有するクリップ部材で構成されており、
前記挟持部と、前記保持部と、前記挟持部及び前記保持部の間を接続する接続部とは、導電性材料で形成されている、ことを特徴とする。
【考案の効果】
【００１０】
本考案のテラヘルツ波治療器具によれば、保持部材が、皮膚に非接触な状態で配置されるため、保持部材を皮膚に直接接触させることなく、テラヘルツ波治療器具を快適に使用することができる。
【図面の簡単な説明】
【００１１】
【図１】本考案の第１の実施形態に係るテラヘルツ波治療器具１Ａの一例を示し、（ａ）は使用前の平面図、（ｂ）は使用時の平面図、（ｃ）は使用時の断面図を示す図である。
【図２】本考案の第２の実施形態に係るテラヘルツ波治療器具１Ｂの一例を示し、（ａ）は閉鎖状態、（ｂ）は開放状態、（ｃ）は使用時の状態を示す図である。
【図３】本考案の第３の実施形態に係るテラヘルツ波治療器具１Ｃの一例を示し、（ａ）は閉鎖状態、（ｂ）は解放状態、（ｃ）は使用時の状態を示す図である。
【考案を実施するための形態】
【００１２】
以下、本考案の一実施形態を図面を参照しつつ説明する。
【００１３】
（第１の実施形態）
図１は、本考案の第１の実施形態に係るテラヘルツ波治療器具１Ａの一例を示し、（ａ）は使用前の平面図、（ｂ）は使用時の平面図、（ｃ）は使用時の断面図を示す図である。
【００１４】
テラヘルツ波治療器具１Ａは、人体の皮膚１０にテラヘルツ波を放射するテラヘルツ波放射体２と、皮膚１０に非接触な状態で配置されるとともに、皮膚１０に対してテラヘルツ波放射体２を保持する保持部材３とを備える。
【００１５】
テラヘルツ波放射体２は、図１（ａ）に示すように、粒状の外形を有し、その外形寸法は、例えば、１ｍｍ〜１０ｍｍ程度である。テラヘルツ波放射体２は、テラヘルツ波を放射する材料で形成されており、その材料として、例えば、ケイ素、炭化ケイ素、アルミナ、ジルコニア、シリカ等からなる高純度（例えば、純度が９９．９９９９％以上（６Ｎ以上））のセラミックスや各種の鉱石等が用いられる。なお、テラヘルツ波放射体２は、テラヘルツ波を放射する材料であればよく、上記の材料に限られない。
【００１６】
テラヘルツ波は、例えば、周波数１００ＧＨｚ〜１０ＴＨｚの電磁波であり、布、紙、樹脂等を透過可能であって、皮膚１０の深部まで浸透する特性がある。そして、テラヘルツ波は、皮膚１０の深部に浸透することで、体内の細胞を活性化して新陳代謝を促し、凝り、炎症、その他の症状を改善する効果を発揮する。
【００１７】
保持部材３は、図１（ａ）に示すように、テラヘルツ波放射体２よりも大きな外形を有し、皮膚１０を覆う衣類１１に貼付可能なシール部材３０で構成されている。保持部材３の外形は、円形状でもよいし、多角形状でもよく、多角形状の場合には、角部分が丸く面取りされていてもよい。
【００１８】
シール部材３０は、接着剤が塗布された粘着面３００と、粘着面３００とは反対側であって、接着剤が塗布されていない非粘着面３０１とを有する。シール部材３０は、使用前は、図１（ａ）に示すように、粘着面３００が台紙３０２に接着されており、使用時は、図１（ｂ）、（ｃ）に示すように、台紙３０２から剥がされた状態で衣類１１に貼付される。非粘着面３０１は、各種の色や模様が施されており、例えば、衣類１１と同じ色や模様が施されていてもよいし、衣類１１と異なる色や模様によるデザインが施されていてもよい。
【００１９】
上記構成を有するテラヘルツ波治療器具１Ａが使用者により使用される場合、図１（ｂ）に示すように、台紙３０２から剥がされたシール部材３０の粘着面３００の中央部分に、テラヘルツ波放射体２を粘着させた状態で、シール部材３０が、図１（ｃ）に示すように、患部となる皮膚１０を覆う使用者の衣類１１に貼付されることにより、皮膚１０に対してテラヘルツ波放射体２が配置される。
【００２０】
このとき、シール部材３０の中央部分に粘着させるテラヘルツ波放射体２の数は、１つでもよいし、複数でもよい。シール部材３０は、衣類１１の表面に貼付されてもよいし、衣類１１の裏面に貼付されてもよい。
【００２１】
以上のように、本考案の第１の実施形態に係るテラヘルツ波治療器具１Ａによれば、保持部材３が、皮膚１０を覆う衣類１１に貼付可能なシール部材３０で構成されているので、保持部材３が、皮膚１０に非接触な状態で配置される。そのため、保持部材３を皮膚１０に直接接触させることなく、テラヘルツ波治療器具１Ａを快適に使用することができる。
【００２２】
また、シール部材３０の非粘着面３０１に、例えば、衣類１１と同じ色や模様を施すようにした場合には、シール部材３０が衣類１１の表面に貼付されたときであっても、シール部材３０の存在を目立たなくすることができる。一方、シール部材３０の非粘着面３０１に、例えば、衣類１１と異なる色や模様を施すようにした場合には、シール部材３０が衣類１１の表面に貼付されたときに、シール部材３０の存在を目立たせることにより、ファッションとして楽しむことができる。
【００２３】
（第２の実施形態）
図２は、本考案の第２の実施形態に係るテラヘルツ波治療器具１Ｂの一例を示し、（ａ）は閉鎖状態、（ｂ）は開放状態、（ｃ）は使用時の状態を示す図である。
【００２４】
第２の実施形態に係るテラヘルツ波治療器具１Ｂは、第１の実施形態に係るテラヘルツ波治療器具１Ａに比較して、保持部材３の構成を変更したものである。その他の点は、第１の実施形態と同様のため説明を省略する。
【００２５】
保持部材３は、一方の端部３ｄにて皮膚１０に刺入される鍼１２を挟持する挟持部３ａと、他方の端部３ｅにてテラヘルツ波放射体２を保持する保持部材３ｂと、挟持部３ａ及び保持部材３ｂの間を接続する接続部３ｃとを有する第１のクリップ部材３１で構成されている。
【００２６】
第１のクリップ部材３１は、その具体的な構成として、テラヘルツ波放射体２から放射されたテラヘルツ波を伝導する導電性材料（本実施形態では、金属材料）で形成された一対の金属部品３１０と、一対の金属部品３１０を回動可能に連結する連結部品３１１と、一対の金属部品３１０に作用するねじりコイルばね３１２とを組み合わせて構成されている。
【００２７】
一対の金属部品３１０の各々は、図２（ａ）に示すように、挟持部３ａとして、鍼１２を挟持するグリップ部３１０ａを有し、一対の金属部品３１０が、ねじりコイルばね３１２によりグリップ部３１０ａが閉鎖する方向（図２（ａ）に示す閉鎖方向）に付勢されていることにより、閉鎖状態となっている。
【００２８】
一対の金属部品３１０の各々は、接続部３ｃとして、グリップ部３１０ａを延設した部分に対応する把持部３１０ｂを有し、使用者が、把持部３１０ｂをつまむようにして操作すると、一対の金属部品３１０が、グリップ部３１０ａを開放する方向（図２（ｂ）に示す開放方向）に移動することにより、図２（ｂ）に示すように、グリップ部３１０ａの間に隙間が生じて、開放状態に移行する。
【００２９】
一対の金属部品３１０の少なくとも一方は、保持部材３ｂとして、把持部３１０ｂを延設した部分に対応する取付部３１０ｃを有し、取付部３１０ｃには、テラヘルツ波放射体２が、弾性を有する筒状の樹脂シート３１３により被覆されて取り付けられている。
【００３０】
上記構成を有するテラヘルツ波治療器具１Ｂが使用者により使用される場合、第１のクリップ部材３１の取付部３１０ｃに、テラヘルツ波放射体２が取り付けられた状態で、グリップ部３１０ａが、患部となる皮膚１０に刺入された鍼１２を挟持することにより、皮膚１０に対してテラヘルツ波放射体２が配置される。このとき、保持部材３ｂが保持するテラヘルツ波放射体２の数は、１つでもよいし、複数でもよい。
【００３１】
以上のように、本考案の第２の実施形態に係るテラヘルツ波治療器具１Ｂによれば、保持部材３が、皮膚１０に刺入される鍼１２を挟持可能な第１のクリップ部材３１で構成されているので、保持部材３が、皮膚１０に非接触な状態で配置される。そのため、保持部材３を皮膚１０に直接接触させることなく、テラヘルツ波治療器具１Ａを快適に使用することができる。
【００３２】
また、第１のクリップ部材３１が、皮膚１０に刺入される鍼１２を挟持することにより、鍼１２が刺入された皮膚１０に対してテラヘルツ波放射体２が配置されるので、鍼１２による治療効果と、テラヘルツ波による治療効果とを相乗的に得ることができる。そして、第１のクリップ部材３１の一対の金属部品３１０は、導電性材料で形成されているので、テラヘルツ波放射体２から放射されたテラヘルツ波が、第１のクリップ部材３１及び鍼１２を介して皮膚１０に伝導されるため、テラヘルツ波による治療効果を向上させることができる。
【００３３】
（第３の実施形態）
図３は、本考案の第３の実施形態に係るテラヘルツ波治療器具１Ｃの一例を示し、（ａ）は閉鎖状態、（ｂ）は解放状態、（ｃ）は使用時の状態を示す図である。
【００３４】
第３の実施形態に係るテラヘルツ波治療器具１Ｃは、第２の実施形態に係るテラヘルツ波治療器具１Ｂに比較して、保持部材３の構成を変更したものである。その他の点は、第２の実施形態と同様のため説明を省略する。
【００３５】
保持部材３は、一方の端部３ｄにて、皮膚１０に刺入される鍼１２を挟持する挟持部３ａと、他方の端部３ｅにて、テラヘルツ波放射体２を保持する保持部材３ｂと、挟持部３ａ及び保持部材３ｂの間を接続する接続部３ｃとを有する第２のクリップ部材３２で構成されている。
【００３６】
第２のクリップ部材３２は、その具体的な構成として、樹脂材料で形成された筒状の樹脂部品３２０と、テラヘルツ波放射体２から放射されたテラヘルツ波を伝導する導電性材料（本実施形態では、金属材料）で形成された金属部品３２１と、樹脂部品３２０の内部に設けられて、金属部品３２１に作用する圧縮コイルばね３２２とを組み合わせて構成されている。
【００３７】
金属部品３２１は、樹脂部品３２０の内部に挿通されて、一方の端部３ｄ及び他方の端部３ｅから突出するように配置されている。また、金属部品３２１は、圧縮コイルばね３２２により他方の端部３ｅ側（図３（ａ）に示す付勢方向）に付勢されている。
【００３８】
金属部品３２１は、図３（ａ）に示すように、挟持部３ａとして、鍼１２を挟持するＬ字部３２１ａを有し、金属部品３２１が、圧縮コイルばね３２２により付勢方向に付勢されていることにより、Ｌ字部３２１ａは、樹脂部品３２０に接触し、閉鎖状態となっている。
【００３９】
金属部品３２１は、接続部３ｃとして、Ｌ字部３２１ａを延設した部分に対応する延設部３２１ｂを有する。
【００４０】
金属部品３２１は、保持部材３ｂとして、延設部３２１ｂを延設した部分に対応する取付部３２１ｃを有し、取付部３２１ｃには、テラヘルツ波放射体２が、弾性を有する筒状の樹脂シート３２３により被覆されて取り付けられている。また、使用者が、取付部３２１ｃの周辺を持ちながら金属部品３２１を一方の端部３ｄ側（図３（ｂ）に示す圧縮方向）に押し込むようにして操作すると、金属部品３２１が、圧縮コイルばね３２２が圧縮した分だけ一方の端部３ｄ側に移動することにより、図３（ｂ）に示すように、Ｌ字部３２１ａと樹脂部品３２０との間に隙間が生じて、開放状態に移行する。
【００４１】
上記構成を有するテラヘルツ波治療器具１Ｂが使用者により使用される場合、第２のクリップ部材３２の取付部３２１ｃに、テラヘルツ波放射体２が取り付けられた状態で、Ｌ字部３２１ａが、患部となる皮膚１０に刺入された鍼１２を挟持することにより、皮膚１０に対してテラヘルツ波放射体２が配置される。このとき、保持部材３ｂが保持するテラヘルツ波放射体２の数は、１つでもよいし、複数でもよい。
【００４２】
以上のように、本考案の第３の実施形態に係るテラヘルツ波治療器具１Ｃによれば、保持部材３が、皮膚１０に刺入される鍼１２を挟持可能な第２のクリップ部材３２で構成されているので、保持部材３が、皮膚１０に非接触な状態で配置される。そのため、保持部材３を皮膚１０に直接接触させることなく、テラヘルツ波治療器具１Ａを快適に使用することができる。
【００４３】
また、第２のクリップ部材３２が、皮膚１０に刺入される鍼１２を挟持することにより、鍼１２が刺入された皮膚１０に対してテラヘルツ波放射体２が配置されるので、鍼１２による治療効果と、テラヘルツ波による治療効果とを相乗的に得ることができる。そして、第２のクリップ部材３２の金属部品３２１は、導電性材料で形成されているので、テラヘルツ波放射体２から放射されたテラヘルツ波が、第２のクリップ部材３２及び鍼１２を介して皮膚１０に伝導されるため、テラヘルツ波による治療効果を向上させることができる。
【００４４】
（他の実施形態）
以上、本考案の実施形態について説明したが、本考案は上記実施形態に限定されるものではなく、本考案の技術的思想を逸脱しない範囲で適宜変更可能である。
【００４５】
例えば、第２及び第３の実施形態では、保持部材３として、図２、３に示す第１及び第２のクリップ部材３１、３２を用いるものとして説明したが、鍼１２を挟持することが可能であれば、クリップ部材の形状や機構は適宜変更してもよい。
【００４６】
また、第２及び第３の実施形態では、保持部材３としての第１及び第２のクリップ部材３１、３２が、鍼１２を挟持するものとして説明したが、例えば、衣類１１のように、鍼１２以外の対象物を挟持するようにしてもよい。
【符号の説明】
【００４７】
１Ａ〜１Ｃ…テラヘルツ波治療器具、２…テラヘルツ波放射体、３…保持部材、
３ａ…挟持部、３ｂ…保持部、３ｃ…接続部、３ｄ…端部、３ｅ…端部、
１０…皮膚、１１…衣類、１２…鍼、
３０…シール部材、３１…第１のクリップ部材、３２…第２のクリップ部材、
３００…粘着面、３０１…非粘着面、３０２…台紙、
３１０…金属部品、３１０ａ…グリップ部、３１０ｂ…把持部、３１０ｃ…取付部、
３１１…連結部品、３１２…ねじりコイルばね、３１３…樹脂シート、
３２０…樹脂部品、３２１…金属部品、
３２１ａ…Ｌ字部、３２１ｂ…延設部、３２１ｃ…取付部、
３２２…圧縮コイルばね、３２３…樹脂シート
【図１】
0003222151.tif 000003
【図２】
0003222151.tif 000004
【図３】
0003222151.tif 000005